(57)【要約】【課題】種々の伐採対象樹木に対応できる汎用性の高いロープ取付治具を提供する。【解決手段】ロープ取付治具１は、伸張した第一の安定姿勢と渦巻きバネ状にカールした第二の安定姿勢との間で相互に変形する帯板状の双安定バネ３１、及び、第二の安定姿勢時に外側となる面の適所に配置されて、伐採対象樹木の樹幹に巻き付けるロープ１００を支持するロープ支持部３５を有したロープ取付部材３０を備えている。  双安定バネが第一の安定姿勢にあるときに、第二の安定姿勢時に内側となる面の適所を伐採対象樹木の樹幹に衝突させて第二の安定姿勢に変化させることでロープを伐採対象樹木の樹幹に装着する。【選択図】図１
2019097477.tif 000002
【特許請求の範囲】
【請求項１】
伸張した第一の安定姿勢と渦巻きバネ状にカールした第二の安定姿勢との間で相互に変形する帯板状の双安定バネ、及び、前記第二の安定姿勢時に外側となる面の適所に配置されて、伐採対象樹木の樹幹に巻き付けるロープを支持するロープ支持部を有したロープ取付部材を備え、
前記双安定バネが前記第一の安定姿勢にあるときに、前記第二の安定姿勢時に内側となる面の適所を前記伐採対象樹木の樹幹に衝突させて前記第二の安定姿勢に変化させることで前記ロープを前記伐採対象樹木の樹幹に装着することを特徴とするロープ取付治具。
【請求項２】
前記ロープ取付部材に対して操作杆を着脱自在に取り付けるジョイント手段を備えたことを特徴とする請求項１に記載のロープ取付治具。
【請求項３】
前記操作杆に対して前記ロープ取付部材の姿勢を調整する姿勢調整手段を備えたことを特徴とする請求項２に記載のロープ取付治具。
【請求項４】
前記ロープ支持部は、前記ロープをその長手方向に進退自在に支持することを特徴とする請求項１乃至３の何れか一項に記載のロープ取付治具。
【請求項５】
前記ロープ支持部は、前記双安定バネの長手方向に沿って前記ロープを支持することを特徴とする請求項１乃至４の何れか一項に記載のロープ取付治具。
【発明の詳細な説明】
【技術分野】
【０００１】
本発明は、伐採対象樹木を特定の方向に引き倒す際に用いる伐採用ロープ、又は伐採用ロープをガイドするガイドロープを伐採対象樹木に取り付ける治具であり、特に、帯板状の双安定バネを利用して伐採対象樹木にロープを取り付けるロープ取付治具に関する。
【背景技術】
【０００２】
鉄塔間に張設される高圧送電線は、空気を利用して絶縁を確保している。高圧送電線には、樹木を含む他物体との間で確保するべき離隔が電圧に応じて定められている。送電経路に沿った地上の樹木が成長して高圧送電線に接近すると、高圧送電線から樹木の枝を伝って放電し、停電事故を引き起こす虞がある。このような事故を防止するため、電力会社は高圧送電線との離隔距離が許容限度を下回っている樹木を伐採する作業を実施する。
ロープを用いて樹木を引き倒すことにより樹木を伐採する場合、伐採対象樹木の上部にロープを掛止する必要がある。作業者が樹木に昇木してロープを掛止する場合は、作業者が落下する虞があり危険である。
そこで、特許文献１には、作業員が昇木することなく、伐採対象樹木の適所に伐採用ロープを取り付けるロープ取付具が開示されている。
このロープ取付具は、概略Ｃ字形状の本体部と、長手方向の中間部を本体部の周方向各端部によって夫々揺動可能に支持されると共に、長手方向の一端部同士が近接したときには本体部と共に樹木を包囲する包囲空間を形成する一対の円弧状の可動アームと、を備える。可動アームは、長手方向の一端部同士が近接して包囲姿勢をとるときに長手方向の他端部が本体部と重なり、長手方向の一端部同士が離間して開放姿勢をとるときに長手方向の他端部が本体部から離間して本体部の形成する凹所内に突出する。本体部と各可動アームは、その湾曲形状に沿って伐採用ロープを仮支持する。
【０００３】
伐採用ロープの先端には、閉止方向に弾性付勢された開閉片を備えるフックが取り付けられ、伐採用ロープの中間部はリングを挿通している。フックは一方の可動アームの長手方向の一端面によって着脱自在に支持され、リングは他方の可動アームの長手方向の一端面によって着脱自在に支持される。
可動アームが開放姿勢にあるときに両可動アーム間に伐採対象樹木の樹幹を導入すると、可動アームの長手方向他端部が樹幹によって押圧されて包囲姿勢に変位する。可動アームが包囲姿勢に変位するときに、開閉片がリングによって押圧されてフックが開放し、リングはフックによって係止される。伐採用ロープから本体部及び可動アームを離間させれば、伐採用ロープが伐採対象樹木に巻き付けられた状態となる。
【先行技術文献】
【特許文献】
【０００４】
【特許文献１】特開２００９−３０公報
【発明の概要】
【発明が解決しようとする課題】
【０００５】
特許文献１に記載のロープ取付具においては、包囲空間の直径が伐採対象樹木の直径よりも小さい場合にはリングをフックに一体化することができないため、伐採対象樹木に対して伐採用ロープを巻き付けることができない。また、フックとリングは、可動アームが包囲姿勢に移行する時に可動アームの一端部間に働く力で一体化できる必要がある。その一方で、フックとリングは、伐採対象樹木を引き倒す際に伐採用ロープに働く張力に耐えうる強度を有している必要がある。従って、伐採用ロープによって伐採できる樹木が限定される虞がある。即ち、特許文献１に記載のロープ取付具は汎用性が低いという問題がある。
本発明は上述の事情に鑑みてなされたものであり、種々の伐採対象樹木に対応できる汎用性の高いロープ取付治具を提供することを目的とする。
【課題を解決するための手段】
【０００６】
上記の課題を解決するために、本発明に係るロープ取付治具は、伸張した第一の安定姿勢と渦巻きバネ状にカールした第二の安定姿勢との間で相互に変形する帯板状の双安定バネ、及び、前記第二の安定姿勢時に外側となる面の適所に配置されて、伐採対象樹木の樹幹に巻き付けるロープを支持するロープ支持部を有したロープ取付部材を備え、前記双安定バネが前記第一の安定姿勢にあるときに、前記第二の安定姿勢時に内側となる面の適所を前記伐採対象樹木の樹幹に衝突させて前記第二の安定姿勢に変化させることで前記ロープを前記伐採対象樹木の樹幹に装着することを特徴とする。
【発明の効果】
【０００７】
本発明によれば、双安定バネが支持するロープを伐採対象樹木に取り付ける構成としたので、種々の伐採対象樹木に対応できる汎用性の高いロープ取付治具を提供できる。
【図面の簡単な説明】
【０００８】
【図１】本発明の一実施形態に係るロープ取付治具を示す斜視図である。
【図２】双安定バネの一例を示す斜視図であり、（ａ）は伸長した第一の安定姿勢を示し、（ｂ）は渦巻きバネ状にカールした第二の安定姿勢を示す図である。
【図３】ジョイント機構を分解して示す正面図である。
【図４】角度調整機構の分解斜視図である。
【図５】（ａ）、（ｂ）は、角度調整機構の角度調整動作を示す側面図である。
【図６】（ａ）〜（ｄ）は、ロープ取付治具の使用方法を説明する模式図である。
【図７】（ａ）〜（ｃ）は、図６の（ａ）〜（ｂ）に示す工程を拡大して示した模式図である。
【図８】（ａ）〜（ｃ）は、ロープ取付治具の第二の使用方法を説明する模式図である。
【発明を実施するための形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１０】
〔ロープ取付治具の構成〕
図１は、本発明の一実施形態に係るロープ取付治具を示す斜視図である。なお、図１には、ロープ取付治具１を構成する双安定バネ３１が帯板状に伸長した第一の安定姿勢にある状態を示している。
ロープ取付治具１は、樹木を伐採する際にロープ１００を伐採対象樹木１１０（図６、図７参照）に取り付けるための治具である。ロープ取付治具１は、基端部にグリップ部１１を有した操作杆１０と、ロープ１００を支持すると共に操作杆１０の先端部１０ａによって長手方向の一端部３０ａを支持されたロープ取付部材３０と、操作杆１０に対してロープ取付部材３０を着脱自在に取り付けるジョイント機構（ジョイント手段）４０と、操作杆１０に対してロープ取付部材３０の角度を調整する角度調整機構（姿勢調整手段）６０とを備える。
【００１１】
＜ロープ＞
ロープ取付部材３０にはロープ１００（１００Ａ、１００Ｂ）として、伐採対象樹木を伐採するために使用する伐採用ロープ１００Ａ、又は、他に用意した伐採用ロープを伐採対象樹木に巻き付ける際に、当該伐採用ロープをガイドするガイドロープ１００Ｂが取り付けられる。
ロープ１００は、化学繊維や天然繊維を撚り合わせることにより形成された繊維ロープでもよいし、金属線材を撚り合わせることにより形成されたワイヤロープでもよいし、その他のタイプのロープでもよい。ロープ１００には、樹木伐採用又はガイド用等、使用目的に応じた長さ及び強度等を有するものが使用される。
ロープ１００の先端には、被係止リング（被係止部）１０１が取り付けられている。被係止リング１０１は、フック等を引っ掛けてロープ１００の先端部を作業者の手元に引き寄せる場合（図６（ｂ）参照）や、ロープ１００の先端部を環状に成形するためにシャックルを取り付ける場合（図６（ｃ）参照）等に利用される。
なお、ロープ取付部材３０に取り付けられるロープ１００が、伐採用ロープをガイドするガイドロープである場合は、図８（ａ）の拡大図に示すように、ガイド対象である伐採用ロープ１００Ａをガイドロープ１００Ｂの後端部に連結するために、ガイドロープ１００Ｂの後端にも被係止リング１０１と同構成の被係止リング１０２が取り付けられる。
ロープ１００は、被係止リング１０１、１０２を備える代わりに、ロープ１００の端部を環状に成形した環状部（被係止部）を備えてもよい。
【００１２】
＜操作杆＞
図１に示すように、操作杆１０は、複数のパイプ材１３（１３ａ、１３ｂ…）を結合部１５により結合した構成を有する。作業者が把持するグリップ部１１は、基端側に結合されるパイプ材１３ａの基端部に配置されている。
例えば、結合部１５は、基端側に位置するパイプ材１３ａの先端部に形成されて内外空間を連通させる係止孔１７と、先端側に位置するパイプ材１３ｂの後端部に設けられて、パイプ材１３ａの先端開口１９内に嵌合する小径の嵌合筒部２１と、嵌合筒部２１によって内外径方向に出没自在に支持されると共に嵌合筒部２１の外周から外径方向へ突出するように弾性付勢された係止突起２３とを備える。
パイプ材１３ｂの嵌合筒部２１をパイプ材１３ａの先端開口１９内に挿入すると、係止突起２３は弾性付勢部材の弾性付勢力に抗して嵌合筒部２１内に没入する。更に、係止突起２３が係止孔１７と係合すると、係止突起２３は弾性付勢力により係止孔１７からパイプ材１３ａの外部に突出する。パイプ材１３ｂはパイプ材１３ａに対して離脱不能且つ相対回転不能に結合される。
操作杆１０を、複数のパイプ材１３ａ、１３ｂ…から構成することによって、運搬時や保管時にコンパクト化することができ、収容スペースを削減できる。また、伐採対象樹木の樹高、即ち伐採用ロープを取り付ける高さに応じて操作杆１０の全長を可変可能となる。
なお、結合部１５の構成は、複数のパイプ材１３ａ、１３ｂ…同士を軸方向に結合可能な構成であれば図示するものに限られない。
【００１３】
＜ロープ取付部材＞
ロープ取付部材３０は、長尺帯状に伸張した第一の安定姿勢（図２（ａ）、図７（ａ））と渦巻きバネ状にカールした第二の安定姿勢（図２（ｂ）、図７（ｂ））との間で相互に変形する板バネとしての双安定バネ３１、及び、第二の安定姿勢時に外側となる一面３１ａの適所に配置されて、伐採対象樹木１１０の樹幹１１１（図７参照）に巻き付けるロープ１００を支持するロープ支持部３５とを備える。
ロープ取付部材３０は、双安定バネ３１の姿勢に応じて、長尺帯状に伸長した第一の姿勢（第一の安定姿勢）と、リング状（半リング状、又はゼンマイ状）にカールして伐採対象樹木１１０の樹幹１１１に巻き付いた第二の姿勢（第二の安定姿勢）との間で姿勢変位する。ロープ取付部材３０は、第一の姿勢と第二の姿勢を夫々安定的に維持する。
ロープ取付治具１は、双安定バネ３１が第一の安定姿勢にあるときに、第二の安定姿勢時に内側となる他面３１ｂの適所を伐採対象樹木１１０の樹幹１１１に衝突させて第二の安定姿勢に変化させることで、ロープ支持部３５によって支持されているロープ１００を伐採対象樹木１１０の樹幹に装着する点に特徴がある。
本発明に係るロープ取付部材３０は、双安定バネ３１の力を利用することで２つの安定姿勢をとり、且つ両姿勢の間で相互に変形する点に特徴がある。双安定バネ３１は各安定姿勢にあるときに外力を加えなければその姿勢を安定的に維持する。また、第一の安定姿勢にある時に所定の方向性を有した外力を双安定バネの適所に加えることによって双安定バネ全体が第二の安定姿勢に変形する。また、第二の安定姿勢にある時に第一の安定姿勢に復帰させるように外力（伸展方向への外力）を加えることにより第一の安定姿勢に復帰する。
【００１４】
＜双安定バネ＞
図２は双安定バネの一例を示す斜視図であり、（ａ）は伸長した第一の安定姿勢を示し、（ｂ）は渦巻きバネ状にカールした第二の安定姿勢を示す図である。
双安定バネ３１は、弾性を有した薄い金属板等からなる帯状の長尺板材（板バネ部材）である。双安定バネ３１は、長尺帯板状に伸長した第一の安定姿勢では、一面３１ａ側に、長手方向に伸びる凹所３３ａ（短手方向に湾曲した凹所）が形成される。双安定バネ３１は、渦巻きバネ状にカールした第二の安定姿勢では、凹所３３ａが消失し、短手方向に平坦な姿勢となる。
第一の安定姿勢にある双安定バネ３１を第二の安定姿勢に変形させるためには、他面３１ｂ側の長手方向の適所（他面３１ｂ側に形成された長手方向に伸びる凸所３３ｂの任意の箇所）を局所的に押圧して平坦化（平坦状に変形）させる。その変形が長手方向の各端部に向けて伝搬することによって、双安定バネ３１の凹所３３ａ及び凸所３３ｂが消失して、双安定バネ３１が第二の安定姿勢に変形する。
双安定バネ３１は、第二の安定姿勢となって伐採対象樹木の樹幹に装着されたときに、伐採対象樹木に対する装着位置及び装着時の姿勢を維持可能な大きさを有している。即ち、双安定バネ３１の長手方向長は、伐採対象樹木の外周長の１／２よりも長くなるように設定されている。
また、双安定バネ３１は、伐採対象樹木の樹幹に装着可能な程度に姿勢変形できればよい。即ち、双安定バネ３１が第二の安定姿勢に変位したときに、双安定バネ３１が渦巻きバネ状にカールしていない部分を一部に含んでもよい。
【００１５】
＜ロープ支持部＞
図１に戻り、双安定バネ３１が第二の安定姿勢を取った時に外側となる一面３１ａには、ロープ支持部３５が配置されている。ロープ支持部３５の材質、大きさ、及び双安定バネ３１に対する取付位置等は、双安定バネ３１の姿勢変位及び各安定姿勢の維持を許容するように設定される。
例えば図示するロープ取付部材３０は、ロープ１００を通過させる（挿通する）通過孔３７を有した中空筒状或いはリング状のロープ支持部３５を備えている。
図示するロープ取付部材３０は複数のロープ支持部３５を備えており、ロープ支持部３５は双安定バネ３１の長手方向に所定の間隔を開けて配置されている。本例に示すロープ取付部材３０は、３つのロープ支持部３５が双安定バネ３１の長手方向に沿って等間隔に配置された構成を有する。ロープ取付部材３０は、複数のロープ支持部３５によって、ロープ１００を双安定バネ３１の長手方向に沿って一面３１ａに添設するように支持する。
【００１６】
通過孔３７の開口サイズはロープ１００の横断面サイズよりも大きく、ロープ１００はロープ支持部３５によってその長手方向（即ち、双安定バネ３１の長手方向）に沿って進退自在に支持される。なお、ロープ１００の先端に設けた被係止リング１０１は通過孔３７を通過不能な大きさに設定されており、ロープ１００がロープ支持部３５から脱落することを防止する。
なお、ロープ支持部３５は必ずしも環状である必要はない。例えば、ロープ支持部は周方向の一部（望ましくは上側）が開口した半リング形状（或いは半筒形状）であってもよい。また、ロープ支持部は、ロープ１００を通過孔３７内に導入する開口部を周方向の一部に有し、開口部を自在に開閉する開閉片を備えた環状のフック、カラビナ、シャックル等であってもよい。
ロープ支持部３５は、少なくとも、双安定バネ３１を伐採対象樹木に巻き付けた時に、ロープ１００の脱落を防止できればよい。従って、ロープ支持部３５は、例えば双安定バネ３１の長手方向の適当な一箇所（中間部や端部）に配置され、該箇所においてロープ１００を支持する構成でもよい。
ロープ支持部３５は、双安定バネ３１の姿勢変位及び各安定姿勢の維持を阻害しなければよい。従って、ロープ支持部３５は双安定バネ３１の長手方向に沿って伸びる中空のチューブ状（ロープ支持チューブ）であってもよい。ロープ支持部をチューブ状とする場合には双安定バネ３１の姿勢変位及び各安定姿勢の維持が可能となるように、ロープ支持部には可撓性を有するチューブを用いる。
なお、ロープ１００を伐採対象樹木の周囲に巻き付けることが可能であれば、ロープ支持部３５は、ロープ１００をその長手方向に進退不能に固定的に支持するものでもよい。
【００１７】
＜ジョイント機構＞
ジョイント機構について、図１及び図３を参照して説明する。図３は、ジョイント機構を分解して示す正面図である。
ジョイント機構４０は、操作杆１０の先端部１０ａとロープ取付部材３０の一端部３０ａとを接続して一体化したり、分離するための手段である。
本例においてジョイント機構４０は、ロープ取付部材３０の一端部３０ａに配置されると共に、端縁に略Ｌ字状のスリット４３が形成された有底の円筒部材４１と、操作杆１０の先端部１０ａに設けられて、円筒部材４１内に嵌合する小径の嵌合部４５と、嵌合部４５の外周から外径方向へ突設されてスリット４３内に係合する軸部４７ａを有した係合ピン４７と、嵌合部４５の先端面から軸方向に出没し突出方向に弾性付勢されたプッシュピン４９とを備える。スリット４３は、軸方向へ延びる部位４３ａと、周方向へ延びる部位４３ｂと、更に軸方向へ屈曲した部位４３ｃとからなる。
操作杆１０の先端部の嵌合部４５を円筒部材４１の後端開口から円筒部材４１内に挿入すると共に、係合ピン４７の軸部４７ａをスリット４３の部位４３ａに係合させる。プッシュピン４９を突出させる弾性付勢部材の弾性付勢力に抗して軸部４７ａをスリット４３の部位４３ｂに係合させると共にスリット４３の終端である部位４３ｃまで移動させることにより、操作杆１０の先端部１０ａは円筒部材４１に一体化される。
操作杆１０の先端部１０ａが円筒部材４１に一体化された状態では、プッシュピン４９は内蔵された弾性付勢部材の弾性付勢力により円筒部材４１の奥側底面を押圧することから、操作杆１０は円筒部材４１に対して脱落不能となる。
【００１８】
また、操作杆１０と円筒部材４１とが一体化された状態から、円筒部材４１に対して操作杆１０を回転操作して、軸部４７ａをスリット４３の部位４３ｃから部位４３ａに移動させることによって、操作杆１０を円筒部材４１から分離することができる。
ここで、係合ピン４７は先端部に、軸部４７ａの直径よりも大径の球状部４７ｂを備える。球状部４７ｂは、係合ピン４７の軸部４７ａをスリット４３に係合させたときにスリット４３から外部に突出する。軸部４７ａと球状部４７ｂとの間には段差部４７ｃが形成されており、例えばロープ１００の先端に設けた被係止リング１０１（図１）を係合ピン４７に引っ掛けて操作する場合（図７（ｃ））に被係止リング１０１からの離脱を阻止する。即ち、係合ピン４７は、被係止リング１０１を引っ掛けるフックとして機能する。
【００１９】
＜角度調整機構＞
角度調整機構について、図１、図４、及び図５を参照して説明する。図４は、角度調整機構の分解斜視図である。図５（ａ）、（ｂ）は、角度調整機構の角度調整動作を示す側面図である。
【００２０】
角度調整機構６０は、操作杆１０に対してロープ取付部材３０の姿勢（角度）を図１中、矢印Ａ方向に調整する、言い換えれば、即ち操作杆１０の長手方向に対してロープ取付部材３０の長手方向が成す角度を調整するための手段である。本例において角度調整機構６０は、ジョイント機構４０を構成する円筒部材４１の先端に一体的に設けられている。即ち、角度調整機構６０はロープ取付部材３０の長手方向の一端部３０ａに配置されている。
角度調整機構６０は、ロープ取付部材３０の一端部３０ａと円筒部材４１の先端に夫々固定された一対の菊座部材６１Ａ、６１Ｂと、両菊座部材６１Ａ、６１Ｂを一体化するボルト６９と、両菊座部材６１Ａ、６１Ｂを互いに近接させる方向に弾性付勢するコイルバネ７１と、備える。
【００２１】
ロープ取付部材３０側に設けられた菊座部材６１Ａは、円盤状のベース６３と、ベース６３の中央部に形成されたネジ穴６５と、ベース６３の一面（菊座部材６１Ｂとの対向面）に形成された菊座面６７とを有する。菊座面６７は、ネジ穴６５を中心として放射方向に伸びると共に、周方向に順次連続的に形成された凸部６７ａ及び凹部６７ｂと、を備える。また、凸部６７ａと凹部６７ｂとの間は傾斜面６７ｃにより接続されている。
円筒部材４１側に設けられた菊座部材６１Ｂは、円盤状のベース６３と、ベース６３の中央部に貫通形成された挿通孔６６とを備える。また、菊座部材６１Ｂの一面（菊座部材６１Ａとの対向面）には、菊座部材６１Ａと同様に、凸部６７ａ、凹部６７ｂ、及び傾斜面６７ｃを有する菊座面６７が形成されている。
【００２２】
円筒状のコイルバネ７１内にボルト６９のネジ軸６９ａを挿通し、このボルト６９を菊座部材６１Ｂの挿通孔６６を介して菊座部材６１Ａのネジ穴６５に螺着することにより、両菊座部材６１Ａ、６１Ｂは、一体化されている。コイルバネ７１の弾性付勢力により、菊座部材６１Ｂは菊座部材６１Ａに圧接される。
両菊座部材６１Ａ、６１Ｂの凹部６７ｂと凸部６７ａは互いに係合する（又は噛合する）ように構成されている。両菊座部材６１Ａ、６１Ｂの凹部６７ｂと凸部６７ａが互いに係合することで、両菊座部材６１Ａ、６１Ｂは周方向に相対移動不能となる。
【００２３】
ここで、挿通孔６６を中心に菊座部材６１Ｂを菊座部材６１Ａに対して相対回転させる外力（例えば矢印Ａ１方向）を加えると、菊座部材６１Ｂの傾斜面６７ｃは菊座部材６１Ａの傾斜面６７ｃに対して周方向に滑り、菊座部材６１Ｂがコイルバネ７１の弾性付勢力に抗して菊座部材６１Ａから離間する方向に移動する。菊座部材６１Ｂを更に回転させることで、菊座部材６１Ｂの凸部６７ａは、菊座部材６１Ａの凸部６７ａを乗り越えて隣接する凹部６７ｂ内に噛み込むこととなる。即ち、ボルト６９を緩めることなく、菊座部材６１Ａに対する菊座部材６１Ｂの角度を調整することができる。
【００２４】
〔第一の使用方法〕
ロープ取付治具１の使用方法について、ロープ１００が伐採対象樹木を伐採する伐採用ロープである場合の例により説明する。
図６（ａ）〜（ｄ）は、ロープ取付治具の使用方法を説明する模式図である。図７（ａ）〜（ｃ）は、図６の（ａ）〜（ｂ）に示す工程を拡大して示した模式図である。
【００２５】
＜準備工程＞
準備工程は、ロープ取付治具１を図１に示す形状に準備する工程である。
まず、パイプ材１３ａの先端部に対してパイプ材１３ｂの後端部を結合部１５により結合し、所望の軸方向長を有する操作杆１０を形成する。
双安定バネ３１を、伸長した第一の安定姿勢とした状態で、ロープ支持部３５の通過孔３７に伐採用ロープ１００Ａを後端部から挿入して、伐採用ロープ１００Ａの先端部を支持させる。なお、伐採用ロープ１００Ａの先端には通過孔３７を通過不能な被係止リング１０１が取り付けられているため、通過孔３７に伐採用ロープ１００Ａが挿通された状態で伐採用ロープ１００Ａを後端側に引っ張ったとしても、伐採用ロープ１００Ａはロープ支持部３５から脱落することはない。
続いて、操作杆１０の先端部１０ａとロープ取付部材３０の一端部３０ａとをジョイント機構４０により接続する。
伐採用ロープ１００Ａを伐採対象樹木１１０に取り付ける際の、伐採対象樹木１１０に対する作業員の立ち位置等に基づいて、操作杆１０に対するロープ取付部材３０の角度を角度調整機構６０により調整する。
【００２６】
＜ロープ装着工程＞
ロープ装着工程は、ロープ（第一の使用方法においては伐採用ロープ１００Ａ）を伐採対象樹１１０木に装着する工程である。
図６（ａ）に示すように、伐採対象樹木１１０の樹幹１１１の適所（概ね樹高の半分程度の高さ位置）に、伐採用ロープ１００Ａを支持した状態のロープ取付部材３０を装着する。即ち、図７（ａ）に示すように第一の安定姿勢にある双安定バネ３１の他面３１ｂの適所を樹幹１１１に衝突させて、図７（ｂ）に示すように双安定バネ３１を第二の安定姿勢に変化させる。
双安定バネ３１は第一の安定姿勢から第二の安定姿勢に変形する過程で伐採対象樹木１１０の周囲に巻き付くので、双安定バネ３１の長手方向に沿って伸びるように支持されていた伐採用ロープ１００Ａは、双安定バネ３１と共に伐採対象樹木１１０の樹幹１１１に巻き付けられる。
【００２７】
＜操作杆取外工程＞
操作杆取外工程は、操作杆１０をロープ取付部材３０から取り外す工程である。
双安定バネ３１が伐採対象樹木１１０に装着された後、操作杆１０をロープ取付部材３０から取り外す。即ち、操作杆１０を操作して係合ピン４７をスリット４３に沿って部位４３ｃから部位４３ａに移動させることで、操作杆１０をロープ取付部材３０から分離する（図１、図３参照）。この操作により、伐採対象樹木１１０の樹幹１１１には、ロープ取付部材３０とこれに支持された伐採用ロープ１００Ａのみが巻き付いた状態となる（図７（ｃ）参照）。
【００２８】
＜伐採用ロープ調整工程＞
伐採用ロープ調整工程は、伐採対象樹木１１０に対して伐採用ロープ１００Ａの掛止状態を調整する工程である。
図７（ｃ）、及び図６（ｂ）に示すように、操作杆１０の先端部に位置する係合ピン４７の段差部４７ｃを被係止リング１０１に係止し、伐採用ロープ１００Ａを作業者側（図中矢印Ｂ方向）に引き寄せる。係合ピン４７は外径方向に直線的に突出した形状であるため、係合ピン４７は被係止リング１０１内に挿入されやすい。
【００２９】
図６（ｃ）に示すように、シャックル８０等を用いて伐採用ロープ１００Ａの先端側に伐採対象樹木１１０の樹幹１１１を包囲する環状部１０３を形成する。例えば図６（ｃ）の拡大図に示すように、被係止リング１０１内に概略Ｕ字形状のシャックル本体８１を挿通すると共に、シャックル本体８１の凹状部８２内に伐採用ロープ１００Ａを挿入して、シャックルピン８３をシャックル本体８１の両端部に跨がって固定することで、伐採用ロープ１００Ａの先端側を環状に成形する。
この状態で、伐採用ロープ１００Ａの後端側を順次作業者側（矢印Ｃ方向）に引き寄せれば、被係止リング１０１及びシャックル８０が伐採対象樹木１１０の樹幹１１１に接近する方向（矢印Ｄ方向）に移動して伐採用ロープ１００Ａの先端側に形成された環状部１０３の大きさが徐々に縮小する。最終的には、伐採用ロープ１００Ａが樹幹１１１の周囲に密着し、固定される（図６（ｄ））。
最後に、伐採用ロープ１００Ａの後端部をチルホール（登録商標）等のウインチに接続して伐採用ロープ１００Ａを後端方向に引っ張ることで、伐採対象樹木１１０を引き倒すことができる。
【００３０】
〔第二の使用方法〕
図８（ａ）〜（ｃ）は、ロープ取付治具の第二の使用方法を説明する模式図である。図８（ａ）は、図６（ｂ）の後に実施される工程を示している。また、図８（ｂ）、（ｃ）は、図８（ａ）の後に実施される工程であり、それぞれ図６（ｃ）、（ｄ）に対応する工程を示している。
以下に説明する使用方法は、ロープ取付治具１を用いて伐採対象樹木１１０に巻き付けるロープが伐採用ロープ１００Ａをガイドするガイドロープ１００Ｂである点に特徴がある。即ち、まずガイドロープ１００Ｂを伐採対象樹木１１０に装着した後に、ガイドロープ１００Ｂを伐採用ロープ１００Ａに入れ替えて、伐採用ロープ１００Ａにより伐採対象樹木１１０を伐採するものである。なお、第一の使用方法と同様の工程については適宜説明を省略する。
【００３１】
＜準備工程＞
ロープ取付治具１を図１に示す形状に準備する準備工程においては、第一の使用方法と同様の方法により、ロープ取付部材３０に対してガイドロープ１００Ｂを装着する。第一の使用方法と異なる点は、ロープ取付部材３０に装着するロープがガイドロープ１００Ｂである点、及びガイドロープ１００Ｂの後端に伐採用ロープ１００Ａが連結されている点である。ここで、伐採用ロープ１００Ａはガイドロープ１００Ｂよりも引っ張り強度が高い線材である。
両ロープは、図８（ａ）の拡大図に示すように、ガイドロープ１００Ｂの後端に取り付けられた被係止リング１０２と、伐採用ロープ１００Ａの先端に取り付けられた被係止リング１０１とを用いてシャックル８０等により連結、一体化されている。
ロープ入替工程を実施した後、ロープ装着工程、及び操作杆取外工程を実施して、図８（ａ）に示すロープ入替工程を実施する。
【００３２】
＜ロープ入替工程＞
ロープ入替工程では、伐採対象樹木１１０に装着されているガイドロープ１００Ｂを伐採用ロープ１００Ａに入れ替える。
即ち、第二の使用方法において図６（ｂ）に示すようにガイドロープ１００Ｂを作業者側に引き寄せ続けると、伐採用ロープ１００Ａの先端部が伐採対象樹木１１０に接近する。ガイドロープ１００Ｂの被係止リング１０２は、ロープ支持部３５の通過孔３７を通過不能な大きさである。従って、図８（ａ）に示すように、ガイドロープ１００Ｂの被係止リング１０２は、ロープ取付部材３０の長手方向の最も他端側に位置するロープ支持部３５に当接した後、ロープ取付部材３０ごと作業者側に引き寄せられる。その結果、ロープ取付部材３０は伐採対象樹木１１０から離間すると共に、ガイドロープ１００Ｂは伐採用ロープ１００Ａに入れ替えられて、伐採対象樹木１１０には伐採用ロープ１００Ａが装着された状態となる。作業者は、ロープ取付部材３０と伐採用ロープ１００Ａが手元に引き寄せられた段階で、伐採用ロープ１００Ａからガイドロープ１００Ｂを取り外し、伐採対象樹木１１０に対して伐採用ロープ１００Ａのみが装着されている状態にする。
【００３３】
以降の図８（ｂ）、（ｃ）に示す伐採用ロープ調整工程は、第一の使用方法における図６（ｃ）、（ｄ）に示す工程と同様であるが、伐採対象樹木１１０の樹幹１１１には伐採用ロープ１００Ａのみが巻き付けられ、ロープ取付部材３０がない点で第一の使用方法とは異なっている。
以上のように、本使用方法においても、伐採対象樹木を容易に伐採することができる。
【００３４】
〔変形実施形態〕
上記実施形態においては、角度調整機構６０及びジョイント機構４０を双安定バネ３１の長手方向の一端部に配置したが、角度調整機構６０とジョイント機構４０を双安定バネ３１の長手方向の中間部に配置してもよい。
角度調整機構６０は、操作杆１０の長手方向に対する双安定バネ３１の長手方向の角度を調整する手段であったが、角度調整機構は、操作杆１０の長手方向に対して双安定バネ３１の短手方向の角度を調整する手段であってもよい。或いは、角度調整機構は、操作杆１０の長手方向に対する双安定バネ３１の長手方向と短手方向の角度を調整する手段であってもよい。
双安定バネ３１の他面３１ｂには、双安定バネ３１を伐採対象樹木に装着したときに、双安定バネ３１が伐採対象樹木に対して滑動することを防止する滑り止めを備えてもよい。滑り止めは、他面３１ｂに例えばローレット加工により形成した凹凸や、他面３１ｂに貼付したゴム等の高摩擦力発生部材等とすることができる。なお、滑り止めは、双安定バネ３１の第一及び第二の安定姿勢の維持と、第一及び第二の安定姿勢相互間の姿勢変位を阻害しないものである必要がある。
上記実施形態においては、係合ピン４７の先端部に大径の球状部４７ｂを配置することで被係止リング１０１を係止可能に構成したが、係合ピンの先端部を湾曲又は屈曲した鉤状にすることによって係合ピンが被係止リング１０１を係止できるように構成してもよい。
【００３５】
〔本発明の実施態様例と作用、効果のまとめ〕
＜第一の実施態様＞
本態様に係るロープ取付治具１は、伸張した第一の安定姿勢（図２（ａ）、図７（ａ））と渦巻きバネ状にカールした第二の安定姿勢（図２（ｂ）、図７（ｂ））との間で相互に変形する帯板状の双安定バネ３１、及び、第二の安定姿勢時に外側となる面（一面３１ａ）の適所に配置されて、伐採対象樹木１１０の樹幹１１１に巻き付けるロープ１００を支持するロープ支持部３５を有したロープ取付部材３０を備えている。ロープ取付治具１は、双安定バネが第一の安定姿勢にあるときに、第二の安定姿勢時に内側となる面（他面３１ｂ）の適所を伐採対象樹木の樹幹に衝突させて第二の安定姿勢に変化させることでロープを伐採対象樹木の樹幹に装着することを特徴とする。
【００３６】
ロープ取付治具は、ロープ取付部材によって支持されたロープを、双安定バネの力を利用してロープ取付部材ごと伐採対象樹木に取り付ける構成である。双安定バネは、薄い金属板等からなる帯板状の部材であるため、ロープ取付治具を軽量化することができる。また、双安定バネが樹木の半周以上を包囲できる長さを有していれば、樹木の直径及び外形状によらずロープ取付部材を樹木に取り付けることができるため、本態様に係るロープ取付治具は非常に汎用性が高い。また、ロープ取付部材を伐採対象樹木に取り付けた後であっても、ロープ取付治具をその長手方向に移動させれば伐採対象樹木から取り外すことができる。ロープ取付治具の伐採対象樹木に対する着脱が容易であるため、伐採対象樹木に対するロープ取付治具の装着位置を容易に調整できる。また、ロープ取付部材は、双安定バネが第一の安定姿勢から第二の安定姿勢に変位しようとする弾性力により伐採対象樹木の外周面を圧迫しつつ巻き付くため、伐採対象樹木の樹幹から分岐する枝が存在しなくとも、ロープ取付部材は装着位置を維持する。
【００３７】
＜第二の実施態様＞
本態様に係るロープ取付治具１は、ロープ取付部材３０に対して操作杆１０を着脱自在に取り付けるジョイント手段（ジョイント機構４０）を備えたことを特徴とする。
ロープ取付部材を操作杆によって支持することにより、ロープ取付部材を伐採対象樹木の任意の高さ位置に取り付けることができる。また、ロープ取付部材に対して操作杆を着脱自在としたので、操作杆によって支持されたロープ取付部材を伐採対象樹木に装着した後に操作杆をロープ取付部材から取り外せば、樹木の伐採時に操作杆が邪魔になるという問題が発生することはない。
【００３８】
＜第三の実施態様＞
本態様に係るロープ取付治具１は、操作杆１０に対してロープ取付部材３０の姿勢を調整する姿勢調整手段（角度調整機構６０）を備えたことを特徴とする。
操作杆に対するロープ取付部材の姿勢とは、操作杆の長手方向に対してロープ取付部材の長手方向が成す角度の他、操作杆の長手方向に対してロープ取付部材の短手方向が成す角度を含む。
本態様によれば、伐採対象樹木１１０に対する作業員の立ち位置、伐採対象樹木１１０に対するロープ取付部材の装着位置等に応じて、操作杆に対してロープ取付部材の姿勢を調整できる。
【００３９】
＜第四の実施態様＞
本態様に係るロープ取付治具１において、ロープ支持部３５は、ロープ１００をその長手方向に進退自在に支持することを特徴とする。
本態様によれば、ロープをロープ取付部材３０ごと伐採対象樹木の樹幹に取り付けた後、ロープ取付部材を伐採対象樹木から取り外すことなく、ロープの先端部を作業者の手元に引き寄せること、ロープの先端部を環状に成形すること、及び、ロープの先端部に形成した環状部を縮小してロープを伐採対象樹木の樹幹に密着させること等ができる。
【００４０】
＜第五の実施態様＞
本態様に係るロープ取付治具１において、ロープ支持部３５は、双安定バネ３１の長手方向に沿ってロープ１００を支持することを特徴とする。
双安定バネが伸張した第一の安定姿勢をとるとき、ロープは双安定バネの姿勢に従って直線的に伸長した姿勢をとる。双安定バネが第二の安定姿勢に変位しようとする弾性力により伐採対象樹木の樹幹に巻き付いて装着されたとき、ロープは双安定バネの姿勢に従って伐採対象樹木の樹幹に沿って巻き付く。
本態様によれば、簡易な操作でロープを伐採対象樹木の樹幹に巻き付けることができる。
【符号の説明】
【００４１】
１…ロープ取付治具、１０…操作杆、１０ａ…先端部、１１…グリップ部、１３…パイプ材、１３ａ、１３ｂ…パイプ材、１５…結合部、１７…係止孔、１９…先端開口、２１…嵌合筒部、２３…係止突起、３０…ロープ取付部材、３０ａ…一端部、３１…双安定バネ、３１ａ…一面、３１ｂ…他面、３３ａ…凹所、３３ｂ…凸所、３５…ロープ支持部、３７…通過孔、４０…ジョイント機構（ジョイント手段）、４１…円筒部材、４３…スリット、４３ａ…部位、４３ｂ…部位、４３ｃ…部位、４５…嵌合部、４７…係合ピン、４７ａ…軸部、４７ｂ…球状部、４７ｃ…段差部、４９…プッシュピン、６０…角度調整機構（姿勢調整手段）、６１Ａ、６１Ｂ…菊座部材、６３…ベース、６５…ネジ穴、６６…挿通孔、６７…菊座面、６７ａ…凸部、６７ｂ…凹部、６７ｃ…傾斜面、６９…ボルト、６９ａ…ネジ軸、７１…コイルバネ、８０…シャックル、８１…シャックル本体、８２…凹状部、８３…シャックルピン、１００…ロープ、１００Ａ…伐採用ロープ、１００Ｂ…ガイドロープ、１０１、１０２…被係止リング、１０３…環状部、１１０…伐採対象樹木、１１１…樹幹
【図１】
2019097477.tif 000003
【図２】
2019097477.tif 000004
【図３】
2019097477.tif 000005
【図４】
2019097477.tif 000006
【図５】
2019097477.tif 000007
【図６】
2019097477.tif 000008
【図７】
2019097477.tif 000009
【図８】
2019097477.tif 000010